(57)【要約】  本発明は、マルチＰＤＰ環境での課金方法及びシステムに関するもので、ＳＧＳＮ及びＡＡＡサーバとネットワークを介して接続するＧＧＳＮにて行われる方法であって、（ａ）１つ以上のＰＤＰコンテキストが設定された加入者端末機から追加ＰＤＰコンテキスト活性化に対する要求があると、上記ＳＧＳＮからＰＤＰコンテキスト設定要求メッセージを受信するステップと、（ｂ）上記ＡＡＡサーバと連動して加入者を認証し、課金ＩＤを生成するステップと、（ｃ）認証が成功すると、上記追加ＰＤＰコンテキストに対するアカウントセッションＩＤを設定し、最初ＰＤＰコンテキストに対するアカウントセッションＩＤと同じ値で第１カウントマルチセッションＩＤを設定するステップと、（ｄ）上記アカウントセッションＩＤ及び第１アカウントマルチセッションＩＤを含むアカウント開始要求を上記ＡＡＡサーバに伝達するステップと、を含み、上記ＡＡＡサーバに上記追加ＰＤＰコンテキストに対するアカウント開始要求が受信されると、同じ呼接続からの課金として認識するマルチＰＤＰ環境での課金方法に関する。本発明によれば、マルチＰＤＰコンテキスト環境での複数のＰＤＰコンテキストに対する課金データを互いに関連付けることができる長所がある。【選択図】図１
2009526465.tif 000002
【特許請求の範囲】
【請求項１】
ＳＧＳＮ及びＡＡＡサーバとネットワークを介して接続するＧＧＳＮにて行われる方法であって、
（ａ）１つ以上のＰＤＰコンテキストが設定された加入者端末機から追加ＰＤＰコンテキスト活性化に対する要求がある場合に、前記ＳＧＳＮからＰＤＰコンテキスト設定要求メッセージを受信するステップと、
（ｂ）前記ＡＡＡサーバと連動して加入者を認証し、課金ＩＤを生成するステップと、
（ｃ）認証が成功されると、前記追加ＰＤＰコンテキストに対するアカウントセッションＩＤを設定し、最初ＰＤＰコンテキストに対するアカウントセッションＩＤと同じ値で第１アカウントマルチセッションＩＤを設定するステップと、
（ｄ）前記アカウントセッションＩＤ及び前記第１アカウントマルチセッションＩＤを含むアカウント開始要求を前記ＡＡＡサーバに伝達するステップと、
を含み、
前記ＡＡＡサーバは、前記追加ＰＤＰコンテキストに対するアカウント開始要求が受信されると、同じ呼接続からの課金として認識する、マルチＰＤＰ環境での課金方法。
【請求項２】
前記アカウントセッションＩＤが、前記ＧＧＳＮのＩＰアドレスと前記課金ＩＤとの組み合わせで設定される、請求項１に記載のマルチＰＤＰ環境での課金方法。
【請求項３】
前記ＳＧＳＮから少なくとも１つのＰＤＰコンテキスト解除要求のメッセージを受信するステップと、
ＰＤＰコンテキスト解除後に、前記ＡＡＡサーバに、解除されたＰＤＰコンテキストに対する第２アカウントマルチセッションＩＤ、ここで前記第２アカウントマルチセッションＩＤは上記解除されたＰＤＰコンテキストの活性化時に設定された第１アカウントマルチセッションＩＤで設定されること、を含むアカウント終了要求を伝達するステップと、
をさらに含む、請求項１に記載のマルチＰＤＰ環境での課金方法。
【請求項４】
前記ＳＧＳＮから受信される解除指示子に基づいてＰＤＰコンテキストを解除する、請求項３に記載のマルチＰＤＰ環境での課金方法。
【請求項５】
前記ＧＧＳＮが課金ゲートウェイに接続され、
前記追加ＰＤＰコンテキストの最初ＰＤＰコンテキストに対する課金ＩＤでマルチ課金ＩＤを設定するステップをさらに含む、請求項１に記載のマルチＰＤＰ環境での課金方法。
【請求項６】
追加ＰＤＰコンテキスト解除後に、前記課金ゲートウェイに、解除されたＰＤＰコンテキストに対するマルチ課金ＩＤフィールドを含むメッセージを伝達するステップをさらに含む、請求項５に記載のマルチＰＤＰ環境での課金方法。
【請求項７】
前記メッセージは、データレコード伝達要求メッセージである、請求項６に記載のマルチＰＤＰ環境での課金方法。
【請求項８】
請求項１乃至７のうち何れか１項に記載の方法を行うプログラムが記録されたコンピューター読み取り可能な記録媒体。
【請求項９】
ＳＧＳＮ及びＡＡＡサーバとネットワークを介して接続されるＧＧＳＮにおいて、
１つ以上のＰＤＰコンテキストが設定された加入者端末機から追加ＰＤＰコンテキスト活性化に対する要求があると、前記ＳＧＳＮからＰＤＰコンテキスト設定要求メッセージを受信するＳＧＳＮ通信部と、
前記ＡＡＡサーバと連動して加入者を認証し、前記ＡＡＡサーバとのメッセージを送受信するＡＡＡサーバ通信部と、
認証が成功されると、前記追加ＰＤＰコンテキストに対する課金ＩＤを生成する課金ＩＤ生成部と、
前記ＧＧＳＮのＩＰアドレスと前記課金ＩＤとの組み合わせで前記追加ＰＤＰコンテキストに対するアカウントセッションＩＤを設定し、最初ＰＤＰコンテキストに対するセッションＩＤと同じ値で第１アカウントマルチセッションＩＤを設定するアカウントセッションＩＤ生成部と、を含み、
前記ＡＡＡサーバ通信部は、前記アカウントセッションＩＤ及び前記第１アカウントマルチセッションＩＤを含むアカウント開始要求を前記ＡＡＡサーバに伝達し、前記ＡＡＡサーバに前記追加ＰＤＰコンテキストに対するアカウント開始要求が受信されると、同じ呼接続からの課金として認識するＧＧＳＮ装置。
【請求項１０】
前記セッションＩＤ生成部は、前記ＳＧＳＮから少なくとも１つのＰＤＰコンテキスト解除要求メッセージが受信されると、解除されたＰＤＰコンテキストに対する第２アカウントマルチセッションＩＤを前記解除されたＰＤＰコンテキストの第１アカウントマルチセッションＩＤで設定する、請求項９に記載のＧＧＳＮ装置。
【請求項１１】
前記ＧＧＳＮは、課金ゲートウェイと接続してメッセージを送受信する課金ゲートウェイ通信部と、
前記追加ＰＤＰコンテキストの最初ＰＤＰコンテキストに対する課金ＩＤでマルチ課金ＩＤを設定するマルチ課金ＩＤフィールド生成部と、
をさらに含む請求項９に記載のＧＧＳＮ装置。
【請求項１２】
ＷＣＤＭＡ  ＧＰＲＳシステムであって、
１つ以上のＰＤＰコンテキストが設定された加入者端末機から追加ＰＤＰコンテキスト活性化に対する要求が受信されるＳＧＳＮと、
前記活性化要求に応じて前記ＳＧＳＮから追加ＰＤＰコンテキスト設定要求メッセージが受信されると、加入者を認証し、認証が成功されると、課金ＩＤ、アカウントセッションＩＤ、及び最初ＰＤＰコンテキストに対するアカウントセッションＩＤで前記追加ＰＤＰコンテキストのアカウントマルチセッションＩＤを設定し、前記ＩＤを含むアカウント開始要求を転送するＧＧＳＮと、
前記追加ＰＤＰコンテキストに対するアカウント開始要求が受信されると、同じ呼接続からの課金として認識するＡＡＡサーバと、
を含むマルチＰＤＰ環境での課金システム。
【発明の詳細な説明】
【技術分野】
【０００１】
本発明はマルチＰＤＰ環境での課金方法及びシステムに関するもので、より詳しくは、多様なマルチＰＤＰコンテキスト環境を提供するＷＣＤＭＡ  ＧＰＲＳ網における効果的な課金方法及びシステムに関する。
【背景技術】
【０００２】
ＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）は、加入者の通信チャンネル固有の擬似雑音符号を使用するＣＤＭＡ方式に比べより広帯域を使用する方式であって、広帯域を使用することから周波数選択性フェージングに強く、同じデータを転送する場合、帯域幅の増加により処理利得が増加するので、それだけの干渉が低減されて容量が増加するという長所がある。
【０００３】
また、ＲＡＫＥ受信機を用いて多重経路を分解できるということから、マイクロセルの場合でも室内環境での電波遅延を克服でき、１ＭＨｚ帯域幅当たりの帯域幅効率に優れるため加入者容量面で有利であり、処理利得が増加して電力増幅器の容量を小さくできるので具体化時の費用を節減でき、電力増幅器のサイズを小さくすることにより端末機の消費電力及びサイズを減らすことができ、韓国と同様に、３世代通信システムとして日本及びヨーロッパで採用されている。
【０００４】
このようなＷＣＤＭＡ技術はパケットデータの高速転送を保障し、ＧＰＲＳ（Ｇｅｎｅｒａｌ  Ｐａｃｋｅｔ  Ｒａｄｉｏ  Ｓｅｒｖｉｃｅ）はパケットデータサービスを提供するための網構造及びサービスについて定義している。
【０００５】
加入者端末機（Ｍｏｂｉｌｅ  Ｓｔａｔｉｏｎ、ＭＳ）は、ＰＤＰコンテキストを通してＷＣＤＭＡ  ＧＰＲＳ網からパケットデータサービスの提供を受けることができる。
【０００６】
一方、ＷＣＤＭＡ  ＧＰＲＳ網は、多様なマルチＰＤＰコンテキスト（Ｍｕｌｔｉｐｌｅ  Ｐａｃｋｅｔ  Ｄａｔａ  Ｐｒｏｔｏｃｏｌ  Ｃｏｎｔｅｘｔ）環境を提供する。ここで、マルチＰＤＰコンテキスト環境は、インターネットナビゲーション（ＰＤＰコンテキスト１）中に特定動映像を見る場合（ＰＤＰコンテキスト２）、または、ＩＭＳ（ＩＰ  Ｍｕｌｔｉｍｅｄｉａ  Ｓｕｂｓｙｓｔｅｍ）でＩＭＳ呼処理シグナル（ＳＩＰ  Ｓｉｇｎａｌ）と実際トラフィック（音声、データ、メッセージなど）とを分離する場合が例に挙げられる。  
【０００７】
また、マルチＰＤＰコンテキスト環境は、ブラウジングやダウンロード中にＭＭＳメッセージを受信する場合、既存のＰＤＰコンテキストの他に別途のＰＤＰコンテキストでＭＭＳを使用する場合、ＶｏＩＰのように音声または映像電話を行いながらメッセージや写真など別途のデータを転送するために別途のＰＤＰコンテキストを使用する場合が例に挙げられる。
【０００８】
このようなマルチＰＤＰコンテキスト環境におけるＰＤＰコンテキストは、ＡＰＮ（Ａｃｃｅｓｓ  Ｐｏｉｎｔ  Ｎｕｍｂｅｒ、アクセスポイント番号）、加入者に割り当てられたＩＰアドレスを共有する副ＰＤＰコンテキスト（Ｓｅｃｏｎｄａｒｙ  ＰＤＰ  Ｃｏｎｔｅｘｔ）、及び別途のＡＰＮや新しいＩＰアドレスとを割り当てる主ＰＤＰコンテキスト（Ｐｒｉｍａｒｙ  ＰＤＰ  Ｃｏｎｔｅｘｔ）で分類できる。
【０００９】
各ＰＤＰコンテキストに該当するパケットは、該加入者の番号（Ｉｎｔｅｒｎａｔｉｏｎａｌ  Ｍｏｂｉｌｅ  Ｓｕｂｓｃｒｉｂｅｒ  Ｉｄｅｎｔｉｔｙ、ＩＭＳＩ）とＮＳＡＰＩ（Ｎｅｔｗｏｒｋ  Ｌａｙｅｒ  Ｓｅｒｖｉｃｅ  Ａｃｃｅｓｓ  Ｐｏｉｎｔ  Ｉｄｅｎｔｉｆｉｅｒ）とをキー（ｋｅｙ）にして、ＳＧＳＮ（Ｓｅｒｖｉｎｇ  ＧＰＲＳ  Ｓｕｐｐｏｒｔ  Ｎｏｄｅ）とＧＧＳＮ（Ｇａｔｅｗａｙ  ＧＰＲＳ  Ｓｕｐｐｏｒｔ  Ｎｏｄｅ）に収集される。
このとき、課金に関するキーは、呼毎にまたはセッション設定毎に、ＧＧＳＮから課金ＩＤ（Ｃｈａｒｇｉｎｇ  ＩＤ）が割り当てられＳＧＳＮに伝達され、課金ＩＤは課金ゲートウェイ（ＣＧ：Ｃｈａｒｇｉｎｇ  Ｇａｔｅｗａｙ）及びＡＡＡ（Ａｕｔｈｅｎｔｉｃａｔｉｏｎ、Ａｕｔｈｏｒｉｚａｔｉｏｎ、Ａｃｃｏｕｎｔｉｎｇ）に伝達され、課金ゲートウェイ及びＡＡＡは上記課金ＩＤを用いて加入者のパケット受信により課金を行う。
【００１０】
しかし、課金ＩＤは、ただ各ＰＤＰセッションを区分するだけであって、加入者の１つの呼の設定後に発生する複数のセッション（ＰＤＰ  コンテキスト）をカバーすることはできない。
【００１１】
すなわち、従来技術による課金ＩＤだけでは、マルチＰＤＰコンテキスト環境における各セッションを互いに関連付ける（Ｃｏｒｒｅｌａｔｉｏｎ）ことができないという問題点があった。
通常、網事業者は、ＷＣＤＭＡ  ＧＰＲＳのマルチＰＤＰコンテキストの長所を生かしＰＤＰコンテキスト別にＱｏＳ（Ｑｕａｌｉｔｙ  ｏｆ  Ｓｅｒｖｉｃｅ）の差を付けて、アクセスポイント番号（ＡＰＮ）を共有しながらも多様に差別化したサービスを提供でき、ＡＰＮを異にしながらも別途のＩＰアドレスを付与することにより、サービス自体を完全に分離することもできる。
【００１２】
このような長所のあるＰＤＰコンテキスト環境で、加入者は１つの呼を試した後、事業者が提供する多様なサービスを効率的に利用するためにＷＣＤＭＡ  ＧＰＲＳのマルチＰＤＰコンテキストを用いるが、従来技術では、マルチＰＤＰコンテキストをカバーできるキーが標準化されていないため、加入者に提供している課金情報が複数の呼を使用したように算出される問題点があった。
【００１３】
勿論、加入者番号、加入者に割り当てられたＩＰアドレス、使用時間などを組み合わせてみると、同一呼からのＰＤＰコンテキストに関する課金であると推定できるが、このような推定は信頼性が重要視される課金において適切な方法ではないという問題点があった。
また、事業者側からも、多様な料金商品、例えば、呼に２回接続してＡ、Ｂサービスをそれぞれ使用する場合と、呼に１回接続して２つのＰＤＰコンテキストを生成し、Ａ、Ｂサービスを用いる場合とを区分して別途の料金商品を開発／提供するためには、加入者が複数回呼を接続したか、または１回呼を接続して複数のＰＤＰコンテキストを要求したかを区分することが重要となることもある。
【００１４】
特に、１つの呼に接続して複数のＰＤＰコンテキストを使用すると、カレント（Ｃｕｒｒｅｎｔ）タイプのサービスになり、サービス提供の側面や前払差引のような課金側面にて他の考えるべき考慮事項となり得るが、従来には複数のＰＤＰコンテキストを要求する場合を区別することができず、上記考慮事項を反映できないという問題点があった。
【００１５】
一方、課金において、課金ゲートウェイとの連動時、現在標準化されたパラメータがなくて、１つの呼に接続した後、複数のＰＤＰコンテキストを要求することを区別できないという問題点があった。
【発明の開示】
【発明が解決しようとする課題】
【００１６】
こうした従来技術の問題点を解決するために、本発明は、１つの呼接続により、複数のＰＤＰコンテキストを要求する場合に効率的に課金できるマルチＰＤＰ環境での課金方法及びシステムを提供することにその目的がある。
【００１７】
本発明の他の目的は、ＲＡＤＩＵＳ課金方式及び課金ゲートウェイ課金方式何れにも適用できるマルチＰＤＰ環境での課金方法及びシステムを提供することにある。
本発明のまた他の目的は、複数サービスインスタンス（Ｍｕｌｔｉｐｌｅ  Ｓｅｒｖｉｃｅ  Ｉｎｓｔａｎｃｅｓ）を使用するＣＤＭＡ環境にも適用できるマルチＰＤＰ環境での課金方法及びシステムを提供することにある。
【課題を解決するための手段】
【００１８】
上記の目的を達成するために、本発明の一側面によれば、ＳＧＳＮ及びＡＡＡサーバとネットワークとを介して接続されるＧＧＳＮにて行われる方法であって、（ａ）１つ以上のＰＤＰコンテキストが設定された加入者端末機から追加ＰＤＰコンテキスト活性化に対する要求があると、上記ＳＧＳＮからＰＤＰコンテキスト設定要求メッセージを受信するステップと、（ｂ）上記ＡＡＡサーバと連動して加入者を認証し、課金ＩＤを生成するステップと、（ｃ）認証が成功されると、上記追加ＰＤＰコンテキストに対するアカウントセッションＩＤ（Ａｃｃｔ−Ｓｅｓｓｉｏｎ−ＩＤ）を設定し、最初ＰＤＰコンテキストに対するアカウントセッションＩＤと同じ値で第１アカウントマルチセッションＩＤ（Ａｃｃｔ−Ｍｕｌｔｉ−Ｓｅｓｓｉｏｎ−ＩＤ）を設定するステップと、（ｄ）上記アカウントセッションＩＤ及び上記第１アカウントマルチセッションＩＤを含むアカウント開始要求（Ａｃｃｏｕｎｔｉｎｇ  Ｒｅｑｕｅｓｔ（Ｓｔａｒｔ））を上記ＡＡＡサーバに伝達するステップと、を含み、上記ＡＡＡサーバは上記追加ＰＤＰコンテキストに対するアカウント開始要求が受信されると、同じ呼接続からの課金であると認識するマルチＰＤＰ環境での課金方法が提供される。
【００１９】
好ましくは、上記アカウントセッションＩＤは、上記ＧＧＳＮのＩＰアドレスと上記課金ＩＤとを組み合わせて設定できる。
【００２０】
本発明による方法は、上記ＳＧＳＮから少なくとも１つのＰＤＰコンテキスト解除要求メッセージを受信するステップと、ＰＤＰコンテキスト解除後に、上記ＡＡＡサーバに、解除されたＰＤＰコンテキストに対する第２アカウントマルチセッションＩＤ、ここで、上記第２アカウントマルチセッションＩＤは上記解除されたＰＤＰコンテキストの第１アカウントマルチセッションＩＤで設定されること、を含むアカウント終了要求を伝達するステップと、をさらに含むことができる。
【００２１】
ここで、上記ＳＧＳＮから受信される解除指示子（Ｔｅａｒｄｏｗｎ  ｉｎｄｉｃａｔｏｒ）に基づいてＰＤＰコンテキストを解除することが好ましい。
【００２２】
また、本発明において、上記ＧＧＳＮは課金ゲートウェイに接続し、上記追加ＰＤＰコンテキストの最初ＰＤＰコンテキストに対する課金ＩＤでマルチ課金ＩＤ（Ｍｕｌｔｉ−Ｃｈａｒｇｉｎｇ−ＩＤ）を設定するステップをさらに含むことが好ましい。
【００２３】
本発明によれば、追加ＰＤＰコンテキスト解除後に上記課金ゲートウェイに、解除されたＰＤＰコンテキストに対するマルチ課金ＩＤフィールドを含むメッセージを伝達するステップをさらに含むことができる。
【００２４】
このとき、上記メッセージはデータレコード伝達要求（Ｄａｔａ  Ｒｅｃｏｒｄ  Ｔｒａｎｓｆｅｒ  Ｒｅｑｕｅｓｔ）メッセージであってもよい。
【００２５】
本発明の他の実施形態によれば、上記方法を行うプログラムが記録されたコンピューター読み取り可能な記録媒体が提供される。
【００２６】
本発明のまた他の実施形態によれば、ＳＧＳＮ及びＡＡＡサーバとネットワークを介して接続されるＧＧＳＮにおいて、１つ以上のＰＤＰコンテキストが設定された加入者端末機から追加ＰＤＰコンテキスト活性化に対する要求がある場合、上記ＳＧＳＮからＰＤＰコンテキスト設定に対する要求メッセージを受信するＳＧＳＮ通信部と、上記ＡＡＡサーバと連動して加入者を認証し、上記ＡＡＡサーバとメッセージを送受信するＡＡＡサーバ通信部と、認証が成功されると、上記追加ＰＤＰコンテキストに対する課金ＩＤを生成する課金ＩＤ生成部と、上記ＧＧＳＮのＩＰアドレスと上記課金ＩＤとを組み合わせて上記追加ＰＤＰコンテキストに対するアカウントセッションＩＤを設定し、最初ＰＤＰコンテキストに対するセッションＩＤと同じ値で第１アカウントマルチセッションＩＤを設定するアカウントセッションＩＤ生成部と、を含み、上記ＡＡＡサーバ通信部は上記アカウントセッションＩＤ及び上記第１アカウントマルチセッションＩＤを含むアカウント開始要求を上記ＡＡＡサーバに伝達し、上記ＡＡＡサーバに上記追加ＰＤＰコンテキストに対するアカウント開始要求が受信されると、同じ呼接続からの課金として認識するＧＧＳＮ装置が提供される。
【００２７】
このとき、上記セッションＩＤ生成部は、上記ＳＧＳＮから少なくとも１つのＰＤＰコンテキスト解除要求メッセージが受信されると、解除されたＰＤＰコンテキストに対する第２マルチセッションＩＤを上記解除されたＰＤＰコンテキストの第１アカウントマルチセッションＩＤと同じく設定することが好ましい。
【００２８】
また、上記ＧＧＳＮは、課金ゲートウェイに接続してメッセージを送受信する課金ゲートウェイ通信部と、上記追加ＰＤＰコンテキストの最初ＰＤＰコンテキストに対する課金ＩＤでマルチ課金ＩＤを設定するマルチ課金ＩＤフィールド生成部と、をさらに含むことが好ましい。
【００２９】
本発明のまた他の実施形態によれば、ＷＣＤＭＡ  ＧＰＲＳシステムであって、１つ以上のＰＤＰコンテキストが設定された加入者端末機から追加ＰＤＰコンテキスト活性化に対する要求を受信するＳＧＳＮと、上記活性化要求に対応して上記ＳＧＳＮから追加ＰＤＰコンテキスト設定要求メッセージが受信されると、加入者を認証し、認証が成功されると、課金ＩＤ、アカウントセッションＩＤ、及び最初ＰＤＰコンテキストに対するアカウントセッションＩＤで上記追加ＰＤＰコンテキストのアカウントマルチセッションＩＤを設定し、上記ＩＤを含むアカウント開始要求を転送するＧＧＳＮと、上記追加ＰＤＰコンテキストに対するアカウント開始要求が受信されると、同じ呼接続からの課金として認識するＡＡＡサーバとを含むマルチＰＤＰ環境での課金システムが提供される。
【発明を実施するための最良の形態】
【００３０】
以下、添付された図面を参照して本発明によるマルチＰＤＰ環境での課金方法及びシステムに関する好ましい実施例を詳細に説明する。
【００３１】
図１は、本発明の好ましい一実施例による移動通信網の構造を示す図面である。
図１に示すように、本発明による移動通信網は、ノード１０２、無線ネットワークコントローラ（Ｒａｄｉｏ  Ｎｅｔｗｏｒｋ  Ｃｏｎｔｒｏｌｌｅｒ：ＲＮＣ）１０４、交換機（ＭｏｂｉｌｅＳｗｉｔｃｈｉｎｇ  Ｃｅｎｔｅｒ：ＭＳＣ）１０６、ホームロケーションレジスタ（Ｈｏｍｅ  Ｌｏｃａｔｉｏｎ  Ｒｅｇｉｓｔｅｒ、ＨＬＲ）１０８、ＳＧＳＮ１１０、ＧＧＳＮ１１２、ＡＡＡサーバ１１４、及び課金ゲートウェイ１１６を含むことができ、加入者の端末機であるＭＳ（Ｍｏｂｉｌｅ  Ｓｔａｔｉｏｎ）１００は、ノード１０２に１次的に接続して多様なサービスの提供を受けることができる。
【００３２】
ここで、ノード１０２及び無線ネットワークコントローラ１０４は無線アクセスネットワークに該当し、交換機１０６及びホームロケーションレジスタ１０８は回線交換コアネットワークに該当し、ＳＧＳＮ１１０及びＧＧＳＮ１１２はパケット交換コアネットワークに該当する。
【００３３】
無線アクセスネットワーク領域では、制限された無線リソースを効率的に使用して高速のパケットデータサービスを提供し、マルチメディアシステムで多様なＱｏＳ要求条件を満足させる機能を行う。
【００３４】
回線交換コアネットワーク領域に属する交換機１０６は、各無線ネットワークコントローラ１０４から発着信される信号を処理し、無線ネットワークコントローラ１０４が効率的に運用されるようにコントロールする中央統制機能を行う。ホームロケーションレジスタ１０８には、加入者に関する諸情報が格納され、加入者の付加サービス及びどのような知能網サービスが提供されているかに関する情報が格納される。
【００３５】
パケット交換コアネットワーク領域に属するＳＧＳＮ１１０及びＧＧＳＮ１１２は、無線移動通信端末機のＭＳ１００にパケット交換サービスが提供されるように、既存インターネット網との整合のためのＩＰ基盤のプロトコルの連動を提供する。
【００３６】
このために、ＳＧＳＮ１１０は、多くの無線ネットワークコントローラ１０４に接続されてＭＳ１００の移動性及びパケットセッションを管理し、ＧＧＳＮ１１２とはＰＤＰコンテキストを設定し、トンネリングを用いてプロトコルデータユニットを伝達する機能を行う。また、ＩＰルーティングを行うことができ、交換機に接続してＭＳ１００の位置登録を行うように相互作用することができる。
【００３７】
一方、ＧＧＳＮ１１２は、パケット網またはインターネット網に直接接続するゲートウェイであって、ＳＧＳＮ１１０及び外部網とルーティング情報を維持し、トンネリング及びＩＰルーティング機能を行う。
【００３８】
一方、ＡＡＡサーバ１１４は、パケットデータネットワークに対する認証（Ａｕｔｈｅｎｔｉｃａｔｉｏｎ）、許可（Ａｕｔｈｏｒｉｚａｔｉｏｎ）、及びアカウント（Ａｃｃｏｕｎｔｉｎｇ）機能を担い、ＲＡＤＩＵＳ（Ｒｅｍｏｔｅ  Ａｃｃｅｓｓ  Ｄｉａｌ−Ｉｎ  Ｕｓｅｒ  Ｓｅｒｖｉｃｅ）プロトコルを用いて課金機能を行う。
【００３９】
上記課金機能は、ＡＡＡサーバと同時にまたは独立して課金ゲートウェイ１１６により行われることができ、ＡＡＡサーバ１１４及び課金ゲートウェイ１１６はＧＧＳＮ１１２から、ＭＳ１００からの呼接続がある場合に所定メッセージを受信し、課金データの収集を開始して、呼解除要求があるまでパケットデータ使用量に対して課金を行う。
【００４０】
従来、課金を行うときには、１つの呼接続に基づいて加入者が複数のＰＤＰコンテキストの設定を要求する場合にこれを関連付けることができなかったため、別の呼接続があったように課金を行ったが、本発明の好ましい一実施例によれば、ＡＡＡサーバ１１４及び課金ゲートウェイ１１６が１つの呼接続の後に、追加的なＰＤＰコンテキスト設定要求がある場合にもこれを同じ呼接続からの課金として認識することができる。
【００４１】
ＭＳ１００からパケット呼サービスの提供を受けるためのＰＤＰコンテキストの活性化が要求されると、ＳＧＳＮ１１０は加入者の要求をＧＧＳＮ１１２に伝達する。
このとき、ＧＧＳＮ１１２はＡＡＡサーバ１１４と連動して加入者を認証し、認証に成功すると、課金ＩＤを生成するとともに設定されるセッションを識別するための所定のアカウントセッションＩＤを設定する。
【００４２】
好ましくは、アカウントセッションＩＤは、上記課金ＩＤとＧＧＳＮに対して設定されたＩＰアドレスの組み合わせにより設定できる。
【００４３】
ＧＧＳＮ１１２は、アカウントセッションＩＤを設定した後、アカウントセッションＩＤを含むアカウント開始要求をＡＡＡサーバ１１４に転送し、ＡＡＡサーバ１１４にアカウント開始要求が受信されると、該加入者に対する課金データを収集し始める。
【００４４】
上述したように、ＷＣＤＭＡ  ＧＰＲＳではマルチＰＤＰコンテキスト環境を提供するので、加入者は１つの呼接続後であっても追加的なＰＤＰコンテキスト設定に対する要求をすることができ、このような要求がある場合、ＧＧＳＮは各追加ＰＤＰコンテキストに対して加入者認証、課金ＩＤ、及びアカウントセッションＩＤの生成過程を行う。
【００４５】
そして、本発明によるＧＧＳＮ１１２は、追加ＰＤＰコンテキストに対して所定のパラメータを追加し、ＡＡＡサーバ１１２が、追加ＰＤＰコンテキストが同じ呼接続から行われることを認識できるようにする。
【００４６】
本発明による追加パラメータは、アカウントマルチセッションＩＤであって、ＧＧＳＮ１１２は追加ＰＤＰコンテキストのアカウントマルチセッションＩＤを最初ＰＤＰコンテキストのアカウントセッションＩＤと設定する過程を行い、ＡＡＡサーバ１１４に、追加ＰＤＰコンテキストのアカウントセッションＩＤとアカウントマルチセッションＩＤを共に含むアカウント開始要求を転送する。
【００４７】
ＡＡＡサーバ１１４は、追加ＰＤＰコンテキストのアカウントマルチセッションＩＤが既に伝達された最初ＰＤＰコンテキストのアカウントセッションＩＤと同じであることを確認して、アカウント開始要求が１つの呼接続からの他のＰＤＰコンテキストの設定であることを認知し、それに対応する課金データ収集を開始し、後で複数のＰＤＰコンテキストを互いに関連付けることができる。
【００４８】
一方、課金処理は、課金ゲートウェイを通して行われることもあり、従来の課金ゲートウェイは上記のように生成された課金ＩＤに基づいて行われたが、本発明によれば、追加パラメータを用いて課金ゲートウェイが課金処理を行うことができる。
ＧＧＳＮ１１２は、１つの呼接続があった加入者から追加ＰＤＰコンテキスト設定に対する要求がある場合、追加ＰＤＰコンテキストに対する課金ＩＤを生成する以外に、マルチ課金ＩＤをさらに設定する。
【００４９】
このとき、追加ＰＤＰコンテキストのマルチ課金ＩＤは、１つの呼接続により最初ＰＤＰコンテキストに付与された課金ＩＤであってもよく、課金ゲートウェイはＧＧＳＮ１１２からマルチ課金ＩＤフィールドを有するメッセージが受信されると、これを同一呼接続からの課金として認識して課金処理を行う。
【００５０】
以後、加入者から１つ以上のＰＤＰコンテキスト解除要求があると、ＧＧＳＮ１１２は該当するＰＤＰコンテキストの解除を行った後、ＡＡＡサーバ１１４にアカウント終了要求を伝達する。このとき、アカウント終了要求には解除されたＰＤＰコンテキストのアカウントマルチセッションＩＤが含まれてもよい。
【００５１】
ここで、解除されたＰＤＰコンテキストのアカウントマルチセッションＩＤは、予め設定された最初ＰＤＰコンテキストのアカウントセッションＩＤと同じ値で設定され、これによりＡＡＡサーバ１１４は、解除されたＰＤＰコンテキストが１つの呼接続から設定されたコンテキストであったと認識し、それに対応する課金処理過程を行う。
【００５２】
また、ＰＤＰコンテキストの解除時、ＧＧＳＮ１１２は課金ゲートウェイ１１６に上記マルチ課金ＩＤを含むデータレコード伝達要求メッセージを伝達して、課金ゲートウェイ１１６に、解除された１つ以上のＰＤＰコンテキストが同一呼／セッションからの課金であることを通報することになる。
【００５３】
本発明によれば、上記のように付与された追加パラメータが全体課金セッションを識別できる唯一のキーとして機能することにより、課金処理ユニットにおいて複数のＰＤＰコンテキストが１つの呼接続からのコンテキストであったことを認知可能なようにでき、これにより加入者に、より効率的な課金サービスを提供することができる。
【００５４】
図２は、本発明の好ましい一実施例によるＧＧＳＮの内部ブロック図である。
図２に示すように、本発明によるＧＧＳＮは、ＳＧＳＮ通信部２００、課金ＩＤ生成部２０２、アカウントセッションＩＤ生成部２０４、マルチ課金ＩＤフィールド生成部２０６、ＡＡＡサーバ通信部２０８、及び課金ゲートウェイ通信部２１０を含むことができる。
ＳＧＳＮ通信部２００は、ＳＧＳＮ１１０に接続して加入者端末機１００の要求に応じて、ＳＧＳＮ１１０が伝達するＰＤＰコンテキスト設定要求メッセージや、ＰＤＰコンテキスト解除要求メッセージなどを受信し、上記メッセージによる応答をＳＧＳＮ１１０に転送する機能をする。
【００５５】
課金ＩＤ生成部２０２は、ＡＡＡサーバ１１４との連動により加入者の認証が成功されると、当該ＰＤＰコンテキスト設定に対する課金ＩＤを生成する。
課金ＩＤは課金ゲートウェイ１１６に伝達できる。
【００５６】
アカウントセッションＩＤ生成部２０４は、ＧＧＳＮ１１２がＡＡＡサーバ通信部２０８を通してＡＡＡサーバ１１４と連動して認証過程を行った後、認証が成功されると、ＡＡＡサーバ１１４の課金データの収集における基本データとなるアカウントセッションＩＤを生成し、好ましくは、アカウントセッションＩＤは上記課金ＩＤとＧＧＳＮのＩＰアドレスとの組み合わせで生成されることができる。
【００５７】
一方、セッションＩＤ生成部２０４は、アカウントセッションＩＤとは別にアカウントマルチセッションＩＤを生成し、このとき、アカウントマルチセッションＩＤは最初ＰＤＰコンテキストのアカウントセッションＩＤとして設定される。
【００５８】
アカウントセッションＩＤ生成部２０４は、加入者のＰＤＰコンテキスト設定要求がある場合だけでなく、加入者のＰＤＰコンテキスト解除要求がある場合にもアカウントマルチセッションＩＤを生成し、当該アカウントマルチセッションＩＤを以前の最初ＰＤＰコンテキストのアカウントセッションＩＤで設定してＡＡＡサーバ１１４に伝達する。
これにより、ＡＡＡサーバ１１４は同じ呼接続からの課金として認知することができる。
【００５９】
上述したように、課金は課金ゲートウェイ１１６で行うことができ、本発明によるマルチ課金ＩＤフィールド生成部２０６は、加入者から１つ以上のＰＤＰコンテキストの解除要求がある場合、課金ＩＤとは別にマルチ課金ＩＤフィールドを生成し、上記フィールドに最初ＰＤＰコンテキストの課金ＩＤを記録する。
【００６０】
マルチ課金ＩＤフィールドを含むメッセージは課金ゲートウェイ通信部２１０を通して課金ゲートウェイ１１６に伝達でき、課金ゲートウェイ１１６は上記メッセージを受信すると、各ＰＤＰコンテキストが１つの呼接続からのコンテキストであると認知して課金を行う。
【００６１】
図３及び図４は、本発明によるサービス処理過程の流れ図である。
図３及び図４は、加入者端末機が最初のパケット呼サービスを要求し、その後、追加ＰＤＰコンテキスト設定要求をする場合についての全体的な過程を示すものであって、図３及び図４を参照すると、ステップＳ３００で、ＭＳ１００はＳＧＳＮ１１０にＰＤＰコンテキスト活性化に対する要求（Ａｃｔｉｖｅ  ＰＤＰ  Ｃｏｎｔｅｘｔ  Ｒｅｑｕｅｓｔ）を転送し、ステップＳ３０２で、ＳＧＳＮ１１０はＧＧＳＮ１１２にＰＤＰコンテキスト設定要求（Ｃｒｅａｔｅ  ＰＤＰ  Ｃｏｎｔｅｘｔ  Ｒｅｑｕｅｓｔ）を転送する。
【００６２】
ステップＳ３０４で、ＧＧＳＮ１１２はＡＡＡサーバ１１４に加入者認証のためのアクセス要求（Ａｃｃｅｓｓ  Ｒｅｑｕｅｓｔ）を転送し、ステップＳ３０６で、  ＡＡＡサーバ１１４は加入者認証に対して、認証可否に対する応答（Ａｃｃｅｓｓ  Ａｃｃｅｐｔ）をＧＧＳＮ１１２に転送する。
【００６３】
ステップＳ３０８で、ＧＧＳＮ１１２はＩＰ割り当てのような所定の内部処理過程を行った後、ＳＧＳＮ１１０にＰＤＰコンテキスト設定要求に対する応答（Ｃｒｅａｔｅ  ＰＤＰ  Ｃｏｎｔｅｘｔ  Ｒｅｓｐｏｎｓｅ）を転送する。このとき、認証に成功されると、ＧＧＳＮ１１２はＰＤＰコンテキスト設定による課金ＩＤを生成し、ステップＳ３０８の応答に含めることができる。
【００６４】
ステップＳ３１０で、ＳＧＳＮ１１０は、ＭＳ１００にＰＤＰコンテキストが設定されたというメッセージ（Ａｃｔｉｖｅ  ＰＤＰ  Ｃｏｎｔｅｘｔ  Ａｃｃｅｐｔ）を転送し、これにより、ステップＳ３１６で、ＭＳ１００とＧＧＳＮ１１２との間にパケットデータのサービスが可能となり、ＭＳ１００はアプリケーションサーバとデータを送受信することができる。
【００６５】
一方、ステップＳ３１２で、ＧＧＳＮ１１２は認証が成功されると、ＡＡＡサーバ１１４にアカウント開始要求を伝達し、ステップＳ３１４で、ＡＡＡサーバ１１４は上記アカウント開始要求に対する応答をＧＧＳＮ１１２に転送する。
【００６６】
ここで、上記アカウント開始要求には、アカウントセッションＩＤとアカウントマルチセッションＩＤとを含むことができ、アカウントセッションＩＤは課金ＩＤ及びＧＧＳＮのＩＰアドレスの組み合わせで設定され、アカウントマルチセッションＩＤは上記アカウントセッションＩＤと同じ値で設定されることができる。
【００６７】
その後、ステップＳ３１８で、加入者は他のサービスの提供を受けるために、追加ＰＤＰコンテキストの活性化を要求することができ、この場合、ＭＳ１００は副ＰＤＰコンテキスト活性化要求（Ｓｅｃｏｎｄａｒｙ  Ａｃｔｉｖｅ  ＰＤＰ  Ｃｏｎｔｅｘｔ  Ｒｅｑｕｅｓｔ）または追加の主ＰＤＰコンテキスト活性化要求をＳＧＳＮ１１０に転送する。
【００６８】
ステップＳ３２０で、ＭＳ１００から追加ＰＤＰコンテキストの活性化に対する要求があると、上記ステップＳ３０２〜ステップＳ３１６が繰り返し行われる。
【００６９】
本発明で追加ＰＤＰコンテキストを設定する場合、ステップＳ３２２で、ＧＧＳＮ１１２は追加ＰＤＰコンテキストのアカウントマルチセッションＩＤを上記最初ＰＤＰコンテキストのアカウントセッションＩＤと同じ値で設定し、これをＡＡＡサーバ１１４に転送する。
【００７０】
ＡＡＡサーバ１１４は、同じアカウントマルチセッションＩＤを有する複数のＰＤＰコンテキストが１つの呼接続からのＰＤＰコンテキストであると認知でき、課金データ生成時、複数のＰＤＰコンテキストの課金データを互いに関連付ける（Ｃｏｒｒｅｌａｔｉｏｎ）ことができる。
【００７１】
一方、ＭＳ１００は、ステップＳ３３０で、加入者から呼解除要求があると、１つ以上のＰＤＰコンテキストの非活性化要求（Ｄｅａｃｔｉｖａｔｅ  ＰＤＰ  Ｃｏｎｔｅｘｔ  Ｒｅｑｕｅｓｔ）をＳＧＳＮ１１０に転送し、ステップＳ３３２で、ＳＧＳＮ１１０はＰＤＰコンテキスト解除要求（Ｄｅｌｅｔｅ  ＰＤＰ  Ｃｏｎｔｅｘｔ  Ｒｅｑｕｅｓｔ）をＧＧＳＮ１１２に転送する。
【００７２】
ステップＳ３３４で、ＧＧＳＮ１１２はＰＤＰコンテキストの解除を行い、その応答（Ｄｅｌｅｔｅ  ＰＤＰ  Ｃｏｎｔｅｘｔ  Ｒｅｓｐｏｎｓｅ）をＳＧＳＮ１１０に転送し、ステップＳ３３６で、ＳＧＳＮ１１０はＭＳ１００にＰＤＰコンテキストの非活性化メッセージ（Ｄｅａｃｔｉｖａｔｅ  ＰＤＰ  Ｃｏｎｔｅｘｔ  Ａｃｃｅｐｔ）を転送する。
【００７３】
ステップＳ３３８で、ＧＧＳＮ１１２は、上記ＰＤＰコンテキストの解除過程で課金ゲートウェイ（ＣＧ）１１６にデータレコード伝達要求を転送する。
【００７４】
本発明によれば、データレコード伝達要求メッセージには解除されたＰＤＰコンテキストに対する課金ＩＤだけでなく、マルチ課金ＩＤフィールドが追加されて、マルチ課金ＩＤフィールドには最初ＰＤＰコンテキストの課金ＩＤが記録され、課金ゲートウェイ１１６が複数のＰＤＰコンテキストから同じ呼接続からのＰＤＰコンテキストを区分して課金できるようにする。
【００７５】
また、ステップＳ３４０で、ＰＤＰコンテキストの解除時、ＧＧＳＮ１１２はアカウント終了要求（Ａｃｃｏｕｎｔｉｎｇ  Ｒｅｑｕｅｓｔ（Ｓｔｏｐ））をＡＡＡサーバ１１４に転送するが、このような要求にもマルチセッションＩＤが含まれることができ、アカウントマルチセッションＩＤは最初ＰＤＰコンテキストのアカウントセッションＩＤで設定されることにより、ＡＡＡサーバ１１４が複数のＰＤＰコンテキストから同じ呼接続からのＰＤＰコンテキストを区分できるようにする。
【００７６】
その後、ステップＳ３４２及びステップＳ３４４で、課金ゲートウェイ１１６及びＡＡＡサーバ１１４はＧＧＳＮ１１２に上記メッセージ受信による応答を転送する。
一方、加入者は、他のＰＤＰコンテキストに対する解除を要求でき、ステップＳ３４６で、加入者から他のＰＤＰコンテキストの非活性化が要求されると、上記ステップＳ３４８〜ステップＳ３６０と同じく、上記ステップＳ３３２〜ステップＳ３４４が繰り返し行われる。
【００７７】
図５は、本発明の一実施例によるセッションＩＤ生成過程を示すフローチャートである。
図５は、ＧＧＳＮにて加入者からＰＤＰコンテキスト設定要求がある場合に行われる過程であって、図５を参照すると、ステップＳ５００で、ＧＧＳＮ１１２はＳＧＳＮ１１０から最初ＰＤＰコンテキスト設定要求を受信する。
【００７８】
その後、ステップＳ５０２で、ＡＡＡサーバと連動して認証を行い、認証が成功されると、ＰＤＰコンテキストに対する課金ＩＤを設定し、ステップＳ５０４で、課金ＩＤ及びＧＧＳＮのＩＰアドレスの組み合わせでアカウントセッションＩＤを生成する。また、ステップＳ５０６で、ＧＧＳＮ１１２はＡＡＡサーバ１１４に転送されるメッセージに含まれたアカウントマルチセッションＩＤを上記アカウントセッションＩＤと同じ値で設定する。
【００７９】
一方、１つの呼接続において、加入者は追加ＰＤＰコンテキストの活性化を要求することができ、ステップＳ５０８で、ＧＧＳＮ１１２は追加ＰＤＰコンテキスト設定に対する要求を受信すると、ステップＳ５１０で、上記ステップＳ５０２〜ステップＳ５０４を繰り返し行うこと以外に、ステップＳ５１２で、追加ＰＤＰコンテキストに対するアカウントマルチセッションＩＤを上記最初ＰＤＰコンテキストのアカウントセッションＩＤと同じ値で設定し、これをＡＡＡサーバに転送する。
【００８０】
本発明によれば、１つの呼接続から複数のＰＤＰコンテキスト設定がある場合、これに対して同じアカウントマルチセッションＩＤを付与することにより、ＡＡＡサーバ１１４が複数のＰＤＰコンテキストを互いに関連付けることができる。
【００８１】
一方、図６は、本発明の他の実施例によるマルチ課金ＩＤフィールド生成過程のフローチャートであって、加入者からＰＤＰコンテキストの非活性化要求がある場合の処理過程を示している。
【００８２】
図６を参照すると、ステップＳ６００で、ＧＧＳＮ１１２にＰＤＰコンテキストの解除要求が受信されると、ステップＳ６０２で、１つ以上のＰＤＰコンテキストの解除過程を処理する。
ステップＳ６０４で、本発明によるＧＧＳＮ１１２は、ＡＡＡサーバ１１４に伝達されるアカウント終了要求に含まれたアカウントマルチセッションＩＤを設定し、このようなアカウントマルチセッションＩＤはＰＤＰコンテキストの活性化時に生成されたアカウントマルチセッションＩＤで設定される。
【００８３】
次に、課金ゲートウェイにデータレコード伝達要求メッセージを転送し、ステップＳ６０６で、ＧＧＳＮは上記メッセージにマルチ課金ＩＤフィールドを追加し、ステップＳ６０８で、最初ＰＤＰコンテキストの課金ＩＤを記録する。
【００８４】
本発明によれば、複数のＰＤＰコンテキストが１つの呼接続から行われることを識別できる追加パラメータを提供することにより、課金処理ユニットが複数のＰＤＰコンテキストを互いに関連付けることができ、これにより効率的な課金が可能となる。
【００８５】
上述した本発明の好ましい実施例は例示の目的のために開示されたもので、当該技術分野で通常の知識を有する者であれば、本発明の思想及び範囲内で本発明を多様に修正、変更、及び付加させることができ、その修正、変更、及び付加は特許請求範囲内で属するものとして解釈されるべきである。
【産業上の利用可能性】
【００８６】
本発明によれば、複数のＰＤＰコンテキストが１つの呼接続からのＰＤＰコンテキストであることを識別できることから、フレキシブルな料金制を運営できるという長所がある。
また、本発明は、ＲＡＤＩＵＳ課金方式やゲートウェイ課金方式何れにも適用できる長所がある。
【００８７】
また、本発明によれば、複数サービスインスタンス（Ｍｕｌｔｉｐｌｅ  Ｓｅｒｖｉｃｅ  Ｉｎｓｔａｎｃｅｓ）を使用するＣＤＭＡ環境でも適用できる長所がある。
【図面の簡単な説明】
【００８８】
【図１】本発明の好ましい一実施例による移動通信網の構造を示す図面である。
【図２】本発明の好ましい一実施例によるＧＧＳＮ内部のブロック図である。
【図３】本発明によるサービス処理過程の流れ図である。
【図４】本発明によるサービス処理過程の流れ図である。
【図５】本発明の一実施例によるアカウントセッションＩＤ生成過程のフローチャートである。
【図６】本発明の他の実施例によるマルチ課金ＩＤフィールドの生成過程のフローチャートである。
【図１】
2009526465.tif 000003
【図２】
2009526465.tif 000004
【図３】
2009526465.tif 000005
【図４】
2009526465.tif 000006
【図５】
2009526465.tif 000007
【図６】
2009526465.tif 000008
【国際調査報告】
2009526465.tif 000009
2009526465.tif 000010